【手続補正書】
【提出日】平成21年2月3日(2009.2.3)
【手続補正１】
【補正対象書類名】特許請求の範囲
【補正対象項目名】全文
【補正方法】変更
【補正の内容】
【特許請求の範囲】
【請求項１】
表示画像中の表示範囲内の部分画像を表示するよう構成された表示装置の画面表示制御装置であって、
表示更新の内容を表す画面更新情報を受信する受信手段と、
前記受信手段により受信される画面更新情報に応じて表示画面の更新領域の表示を更新する表示更新手段と、
前記表示更新手段により表示更新された更新領域が表示画面の表示範囲を逸脱し、かつ更新領域の大きさが所定サイズを超えた場合に、当該更新領域を表示範囲に収めるように表示範囲を移動する表示制御手段と
を具備することを特徴とする画面表示制御装置。
【請求項２】
前記表示制御手段は、前記表示更新手段により表示更新される更新領域が一定期間中、表示画面の表示範囲を逸脱し続け、その期間中に表示更新された更新領域の全てを含む大きさが所定サイズを超えた場合に、それら更新領域の全てを含む大きさの画面領域を表示範囲に収めるように表示領域を移動することを特徴とする請求項１記載の画面表示制御装置。
【請求項３】
前記表示更新手段により表示更新された更新領域が表示画面の表示範囲を逸脱し、かつ更新領域の大きさが所定サイズを超えた場合に、前記表示更新手段により表示更新された更新領域の色もしくは形状のいずれか一方又は双方に基づいて表示領域の移動を行うか否かを前記表示制御手段に指示する表示領域移動指示手段をさらに具備することを特徴とする請求項１記載の画面表示制御装置。
【請求項４】
表示画像中の表示範囲内の部分画像を表示するよう構成された表示装置の画面表示制御装置であって、
表示更新の内容を表す画面更新情報を受信する受信手段と、
前記受信手段により受信される画面更新情報に応じて表示画面を更新する表示更新手段と、
前記表示更新手段により表示更新された更新領域が表示画面の表示範囲を逸脱し、かつ予め指定した表示属性を備える場合に、当該更新領域を表示範囲に収めるように表示領域を移動する表示制御手段と
を具備することを特徴とする画面表示制御装置。
【請求項５】
表示画像中の表示範囲内の部分画像を表示するよう構成された表示装置の画面表示制御装置であって、
表示データの一部領域を一時的に保存する命令を受信する受信手段と、
前記受信手段により受信される前記命令に応じて、表示データの一部領域を保存する保存手段と、
前記保存手段により保存された領域が表示画面の表示範囲外であって、かつ保存された領域の大きさが予め指定される範囲内である場合に、保存された領域を表示範囲に収めるように表示領域を移動する表示制御手段と
を具備することを特徴とする画面表示制御装置。
【請求項６】
表示画像中の表示範囲内の部分画像を表示するよう構成された表示装置の画面表示制御装置であって、
外部から転送される画像データを受信する毎に、前回受信した画像データと今回受信した画像データとの相違の有無を判定し、相違が有れば、相違する領域の大きさが予め設定される指定サイズより大きいか否かを判定する判定手段と、
前記判定手段により相違する領域の大きさが予め設定される指定サイズより大きいと判定された場合、その相違する領域が表示されるように表示領域を移動する表示制御手段と
を具備することを特徴とする画面表示制御装置。
【請求項７】
表示画像中の表示範囲内の部分画像を表示するよう構成された表示装置の画面表示制御装置のコンピュータを、
表示更新の内容を表す画面更新情報を受信する受信手段、
前記受信手段により受信される画面更新情報に応じて表示画面の更新領域の表示を更新する表示更新手段、
前記表示更新処理により表示更新された更新領域が表示画面の表示範囲を逸脱し、かつ更新領域の大きさが所定サイズを超えた場合に、当該更新領域を表示範囲に収めるように表示範囲を移動する表示制御手段
として機能させることを特徴とする画面表示制御処理プログラム。
【請求項８】
表示画像中の表示範囲内の部分画像を表示するよう構成された表示装置の画面表示制御装置のコンピュータを、
表示更新の内容を表す画面更新情報を受信する受信手段、
前記受信処理により受信される画面更新情報に応じて表示画面を更新する表示更新手段、
前記表示更新処理により表示更新された更新領域が表示画面の表示範囲を逸脱し、かつ予め指定した表示属性を備える場合に、当該更新領域を表示範囲に収めるように表示領域を移動する表示制御手段
として機能させることを特徴とする画面表示制御処理プログラム。
【請求項９】
表示画像中の表示範囲内の部分画像を表示するよう構成された表示装置の画面表示制御装置のコンピュータを、
表示データの一部領域を一時的に保存する命令を受信する受信手段、
前記受信手段により受信される前記命令に応じて、表示データの一部領域を保存する保存手段、
前記保存手段により保存された領域が表示画面の表示範囲外であって、かつ保存された領域の大きさが予め指定される範囲内である場合に、保存された領域を表示範囲に収めるように表示領域を移動する表示制御手段
として機能させることを特徴とする画面表示制御処理プログラム。
【請求項１０】
表示画像中の表示範囲内の部分画像を表示するよう構成された表示装置の画面表示制御装置のコンピュータを、
外部から転送される画像データを受信する毎に、前回受信した画像データと今回受信した画像データとの相違の有無を判定し、相違が有れば、相違する領域の大きさが予め設定される指定サイズより大きいか否かを判定する判定手段、
前記判定処理により相違する領域の大きさが予め設定される指定サイズより大きいと判定された場合、その相違する領域が表示されるように表示領域を移動する表示制御手段
として機能させることを特徴とする画面表示制御処理プログラム。
【手続補正２】
【補正対象書類名】明細書
【補正対象項目名】０００７
【補正方法】変更
【補正の内容】
【０００７】
上記目的を達成するため、請求項１に記載の発明では、表示画像中の表示範囲内の部分画像を表示するよう構成された表示装置の画面表示制御装置であって、表示更新の内容を表す画面更新情報を受信する受信手段と、前記受信手段により受信される画面更新情報に応じて表示画面の更新領域の表示を更新する表示更新手段と、前記表示更新手段により表示更新された更新領域が表示画面の表示範囲を逸脱し、かつ更新領域の大きさが所定サイズを超えた場合に、当該更新領域を表示範囲に収めるように表示範囲を移動する表示制御手段とを具備することを特徴とする。
【手続補正３】
【補正対象書類名】明細書
【補正対象項目名】０００９
【補正方法】変更
【補正の内容】
【０００９】
上記請求項１に従属する請求項３に記載の発明では、前記表示更新手段により表示更新された更新領域が表示画面の表示範囲を逸脱し、かつ更新領域の大きさが所定サイズを超えた場合に、前記表示更新手段により表示更新された更新領域の色もしくは形状のいずれか一方又は双方に基づいて表示領域の移動を行うか否かを前記表示制御手段に指示する表示領域移動指示手段をさらに具備することを特徴とする。
【手続補正４】
【補正対象書類名】明細書
【補正対象項目名】００１０
【補正方法】変更
【補正の内容】
【００１０】
請求項４に記載の発明では、表示画像中の表示範囲内の部分画像を表示するよう構成された表示装置の画面表示制御装置であって、表示更新の内容を表す画面更新情報を受信する受信手段と、前記受信手段により受信される画面更新情報に応じて表示画面の更新領域の表示を更新する表示更新手段と、前記表示更新手段により表示更新された更新領域が表示画面の表示範囲を逸脱し、かつ予め指定した表示属性を備える場合に、当該更新領域を表示範囲に収めるように表示領域を移動する表示制御手段とを具備することを特徴とする。
【手続補正５】
【補正対象書類名】明細書
【補正対象項目名】００１１
【補正方法】変更
【補正の内容】
【００１１】
請求項５に記載の発明では、表示画像中の表示範囲内の部分画像を表示するよう構成された表示装置の画面表示制御装置であって、表示データの一部領域を一時的に保存する命令を受信する受信手段と、前記受信手段により受信される前記命令に応じて、表示データの一部領域を保存する保存手段と、前記保存手段により保存された領域が表示画面の表示範囲外であって、かつ保存された領域の大きさが予め指定される範囲内である場合に、保存された領域を表示範囲に収めるように表示領域を移動する表示制御手段とを具備することを特徴とする。
【手続補正６】
【補正対象書類名】明細書
【補正対象項目名】００１２
【補正方法】変更
【補正の内容】
【００１２】
請求項６に記載の発明では、表示画像中の表示範囲内の部分画像を表示するよう構成された表示装置の画面表示制御装置であって、外部から転送される画像データを受信する毎に、前回受信した画像データと今回受信した画像データとの相違の有無を判定し、相違が有れば、相違する領域の大きさが予め設定される指定サイズより大きいか否かを判定する判定手段と、前記判定手段により相違する領域の大きさが予め設定される指定サイズより大きいと判定された場合、その相違する領域が表示されるように表示領域を移動する表示制御手段とを具備することを特徴とする。
【手続補正７】
【補正対象書類名】明細書
【補正対象項目名】００１３
【補正方法】変更
【補正の内容】
【００１３】
請求項７に記載の発明では、表示画像中の表示範囲内の部分画像を表示するよう構成された表示装置の画面表示制御装置のコンピュータを、表示更新の内容を表す画面更新情報を受信する受信手段、前記受信手段により受信される画面更新情報に応じて表示画面の更新領域の表示を更新する表示更新手段、前記表示更新処理により表示更新された更新領域が表示画面の表示範囲を逸脱し、かつ更新領域の大きさが所定サイズを超えた場合に、当該更新領域を表示範囲に収めるように表示範囲を移動する表示制御手段として機能させることを特徴とする。
【手続補正８】
【補正対象書類名】明細書
【補正対象項目名】００１４
【補正方法】変更
【補正の内容】
【００１４】
請求項８に記載の発明では、表示画像中の表示範囲内の部分画像を表示するよう構成された表示装置の画面表示制御装置のコンピュータを、表示更新の内容を表す画面更新情報を受信する受信手段、前記受信処理により受信される画面更新情報に応じて表示画面の更新領域の表示を更新する表示更新手段、前記表示更新処理により表示更新された更新領域が表示画面の表示範囲を逸脱し、かつ予め指定した表示属性を備える場合に、当該更新領域を表示範囲に収めるように表示領域を移動する表示制御手段として機能させることを特徴とする。
【手続補正９】
【補正対象書類名】明細書
【補正対象項目名】００１５
【補正方法】変更
【補正の内容】
【００１５】
請求項９に記載の発明では、表示画像中の表示範囲内の部分画像を表示するよう構成された表示装置の画面表示制御装置のコンピュータを、表示データの一部領域を一時的に保存する命令を受信する受信手段、前記受信手段により受信される前記命令に応じて、表示データの一部領域を保存する保存手段、前記保存手段により保存された領域が表示画面の表示範囲外であって、かつ保存された領域の大きさが予め指定される範囲内である場合に、保存された領域を表示範囲に収めるように表示領域を移動する表示制御手段として機能させることを特徴とする。
【手続補正１０】
【補正対象書類名】明細書
【補正対象項目名】００１６
【補正方法】変更
【補正の内容】
【００１６】
請求項１０に記載の発明では、表示画像中の表示範囲内の部分画像を表示するよう構成された表示装置の画面表示制御装置のコンピュータを、外部から転送される画像データを受信する毎に、前回受信した画像データと今回受信した画像データとの相違の有無を判定し、相違が有れば、相違する領域の大きさが予め設定される指定サイズより大きいか否かを判定する判定手段、前記判定処理により相違する領域の大きさが予め設定される指定サイズより大きいと判定された場合、その相違する領域が表示されるように表示領域を移動する表示制御手段として機能させることを特徴とする
【手続補正１１】
【補正対象書類名】明細書
【補正対象項目名】００２９
【補正方法】変更
【補正の内容】
【００２９】
一方、算出した更新領域の大きさＳｉ（幅，高さ）が閾値Ｓｔより大きいと、重要な画面更新であると見做し、上記ステップＳＢ５の判断結果が「ＹＥＳ」になり、ステップＳＢ６に進む。ステップＳＢ６では、上記ステップＳＢ４にて算出した更新領域、すなわち更新位置を基準として更新領域の大きさＳｉ（幅，高さ）で定まる画面領域を表示するよう操作画面Ｇ４をスクロール制御した後、上述のステップＳＢ１に処理を戻す。